(57)【要約】【課題】ＬＥＤを適切に利用しつつ適切な色再現範囲を実現可能な照明装置及び液晶表示装置を提供する。【解決手段】バックライトは、赤色の光を発光するＬＥＤ５００Ｒ１ａ及び５００Ｒ１ｂ、緑色の光を発光するＬＥＤ５００Ｇ１ａ及び５００Ｇ１ｂ、青色の光を発光するＬＥＤ５００Ｂ１ａ及び５００Ｂ１ｂを備える。各ＬＥＤは異なるランクに属する。制御回路は、各ＬＥＤの発光デューティ比を制御する。これにより、所定の色再現範囲の各頂点における波長の発光強度が調整される。よって、各ＬＥＤの特性がばらついてもこれを用いて、所望の色再現を得ることができる。【選択図】図５
2009054913.tif 000002
【特許請求の範囲】
【請求項１】
赤色光を発光するために、一のＲ発光特性を有する一のＲ光源と、
前記赤色光を発光するために、前記一のＲ発光特性と異なる他のＲ発光特性を有する他のＲ光源と、
緑色光を発光するために、一のＧ発光特性を有する一のＧ光源と、
前記緑色光を発光するために、前記一のＧ発光特性と異なる他のＧ発光特性を有する他のＧ光源と、
青色光を発光するために、一のＢ発光特性を有する一のＢ光源と、
前記青色光を発光するために、前記一のＢ発光特性と異なる他のＢ発光特性を有する他のＢ光源と、
前記一のＲ光源、前記他のＲ光源、前記一のＧ光源、前記他のＧ光源、前記一のＢ光源、及び、前記他のＢ光源を夫々駆動する駆動手段と、
前記一のＲ光源から発光された一の赤色光と、前記他のＲ光源から発光された他の赤色光と、前記一のＧ光源から発光された一の緑色光と、前記他のＲ光源から発光された他の緑色光と、前記一のＢ光源から発光された一の青色光と、前記他のＢ光源から発光された他の青色光との合成光が、所定の色再現範囲を有するように、前記一の赤色光及び前記他の赤色光の光量、前記一の青色光及び前記他の青色光の光量、前記一の緑色光及び前記他の緑色光の光量を定める複数の駆動条件に基づいて、前記一及び他のＲ光源、前記一及び他のＧ光源、並びに、前記一及び他のＢ光源を夫々駆動するように、前記駆動手段を制御する制御手段と、
を備えることを特徴とする照明装置。
【請求項２】
前記一のＲ光源は赤色を発光する第１赤色発光ダイオードであり、
前記他のＲ光源は赤色を発光する第２赤色発光ダイオードであり、
前記一のＧ光源は緑色を発光する第１緑色発光ダイオードであり、
前記他のＧ光源は緑色を発光する第２緑色発光ダイオードであり、
前記一のＢ光源は青色を発光する第１青色発光ダイオードであり、
前記一のＢ光源は青色を発光する第２青色発光ダイオードであり、
前記第１赤色発光ダイオード、前記第２赤色発光ダイオード、前記第１緑色発光ダイオード、前記第２緑色発光ダイオード、前記第１青色発光ダイオード、及び前記第２青色発光ダイオードは、発光特性が近似する範囲ごとにランク分けされており、
前記第１赤色発光ダイオードと前記第２赤色発光ダイオードとは異なるランクに属し、
前記第１青色発光ダイオードと前記第２青色発光ダイオードとは異なるランクに属し、
前記第１緑色発光ダイオードと前記第２緑色発光ダイオードとは異なるランクに属する、
ことを特徴とする請求項１に記載の照明装置。
【請求項３】
前記制御手段は、
前記複数の駆動条件として、１フレーム期間中において、
前記一のＲ光源が発光するデューティ比と、前記他のＲ光源が発光するデューティ比とを設定し、
前記一のＧ光源が発光するデューティ比と、前記他のＧ光源が発光するデューティ比とを設定し、
前記一のＢ光源が発光するデューティ比と、前記他のＢ光源が発光するデューティ比とを設定する、
ことを特徴とする請求項１又は２に記載の照明装置。
【請求項４】
前記制御手段は、
前記一のＲ光源が発光する期間と前記他のＲ光源が発光する期間とが重ならず、
前記一のＧ光源が発光する期間と前記他のＧ光源が発光する期間とが重ならず、
前記一のＢ光源が発光する期間と前記他のＢ光源が発光する期間とが重ならないように、
前記複数の駆動条件を設定する、
ことを特徴とする請求項３に記載の照明装置。
【請求項５】
前記複数の駆動条件を記憶する記憶手段を備え、
前記制御手段は、
前記記憶手段から前記複数の駆動条件を読み出して、前記所定の色再現範囲を有するように、前記一及び他のＲ光源、前記一及び他のＧ光源、並びに、前記一及び他のＢ光源を、複数の駆動条件に基づいて夫々駆動するように前記駆動手段を制御する、
ことを特徴とする請求項１乃至４のうちいずれか１項に記載の照明装置。
【請求項６】
前記所定の色再現範囲の頂点に対応する赤色、緑色、及び青色の波長の夫々について前記合成光の発光強度を測定する発光強度測定手段を更に備え、
前記制御手段は、前記測定された発光強度に基づいて、前記合成光が、前記所定の色再現範囲を有するように、前記複数の駆動条件を変更して、前記一及び他のＲ光源、前記一及び他のＧ光源、並びに、前記一及び他のＢ光源を夫々駆動するように、前記駆動手段を制御する、
ことを特徴とする請求項１から５のうちいずれか一項に記載の照明装置。
【請求項７】
温度を測定する温度測定手段を更に備え、
前記制御手段は、前記測定された温度に基づいて、前記合成光が、所定の色再現範囲を有するように、前記複数の駆動条件を変更して、前記一及び他のＲ光源、前記一及び他のＧ光源、並びに、前記一及び他のＢ光源を夫々駆動するように、前記駆動手段を制御する、
ことを特徴とする請求項１から５のうちいずれか一項に記載の照明装置。
【請求項８】
請求項１から７のうちいずれか一項に記載の照明装置と、
液晶パネルと、
を備えることを特徴とする液晶表示装置。
【請求項９】
前記液晶パネルは、前記合成光を透過可能な、赤色、緑色及び青色のカラーフィルタを有し、
前記制御手段は、前記合成光として白色光を発光するように、前記一及び他のＲ光源、前記一及び他のＧ光源、並びに、前記一及び他のＢ光源を、複数の駆動条件に基づいて夫々駆動するように、前記駆動手段を制御することを特徴とする請求項８に記載の液晶表示装置。
【請求項１０】
前記制御手段は、前記複数の駆動条件として、前記一及び他のＲ光源、前記一及び他のＧ光源、並びに、前記一及び他のＢ光源を、カラー表示に対応した時分割駆動に基づいて発光させるように、前記駆動手段を制御することを特徴とする請求項８又は９に記載の液晶表示装置。
【発明の詳細な説明】
【技術分野】
【０００１】
本発明は、ＬＥＤ（Light Emitting Diode）を有する照明装置及び液晶表示装置の技術分野に関する。
【背景技術】
【０００２】
従来、例えば液晶表示パネル等の表示パネルを照明する照明装置であるバックライトとして、製造コストや発光効率の観点から冷陰極管が用いられてきた。最近、赤（Ｒ）、緑（Ｇ）及び青（Ｂ）である三原色の発光が可能であるＬＥＤ（Light Emitting Diode）が用いられる場合が増えてきた。このＬＥＤは、駆動の際、冷陰極管より高速に応答が可能であることに加えて、水銀や不活性ガスを使用しないという環境保護の観点に基づいて、その普及が期待されている。
【０００３】
このＬＥＤを使用する場合、次の３つの手法によって、カラー表示が行われている。（i）白色光を発光するＬＥＤと、カラーフィルターを備えた液晶表示パネルとを組み合わせてカラー表示を行う。（ii）色再現範囲の高精度化を重視して、３つのＬＥＤから夫々発光された赤色光、緑色光及び青色光を混光して所望となる白色光を、カラーフィルターを備えた液晶表示パネルに照明することによってカラー表示を行う。（iii）カラーフィルターを用いることなく、赤色ＬＥＤ、緑色ＬＥＤ及び青色ＬＥＤを光源として、時間順序的に発光させるフィールドシーケンシャル型のディスプレイによってカラー表示を行う。
【０００４】
特に、ＬＥＤは、製造時に発光特性が大きくばらつく傾向がある。このため、ＬＥＤの製品は、発光特性に基づいて、製造されたＬＥＤの性能上の種別（所謂、ランク）に分類されている。ここに、発光特性とは、駆動するための電流と、発光された光のスペクトルにおける光エネルギーと、波長との相関関係を意味する。一般的に、同じランクに分類されたＬＥＤは、略同じ発光特性を有し、略同じ電流の値に対して、略同じ発光ピーク波長（即ち、発光された光のスペクトルにおいて、光エネルギーが最大となる際の波長）及び輝度を有する。
【０００５】
そこで特許文献１では、同じランクのＬＥＤを直列に接続して一括制御しつつＬＥＤを駆動する手法について提案されている。また、特許文献２では、ＬＥＤ毎に細かく駆動条件を設定して、ＬＥＤを駆動する手法について提案されている。
【特許文献１】特開２００５−３０２７１２号公報
【特許文献２】特開２００５−１５７３８７号公報
【発明の開示】
【発明が解決しようとする課題】
【０００６】
しかしながら、上述した特許文献１又は２に記載された手法において、製造されたＬＥＤの性能上のばらつきを考慮して、所定のランクに属するＬＥＤを用いると、ＬＥＤの製造上の歩留まりが低下する大きな要因となってしまうという技術的な問題点が生じる。よって、ＬＥＤの製造上の歩留まりの低下によって、ＬＥＤの製造上のコストが上昇してしまい、ＬＥＤを利用したバックライトを普及させる際の障害となってしまう。
本発明は、例えば上述した従来の問題点に鑑みなされたものであり、ＬＥＤを適切に利用しつつ適切な色再現範囲を実現可能な照明装置及び液晶表示装置を提供することを課題とする。
【課題を解決するための手段】
【０００７】
上述した課題を解決するために、本発明に係る照明装置は、赤色光を発光するために、一のＲ発光特性を有する一のＲ光源と、前記赤色光を発光するために、前記一のＲ発光特性と異なる他のＲ発光特性を有する他のＲ光源と、緑色光を発光するために、一のＧ発光特性を有する一のＧ光源と、前記緑色光を発光するために、前記一のＧ発光特性と異なる他のＧ発光特性を有する他のＧ光源と、青色光を発光するために、一のＢ発光特性を有する一のＢ光源と、前記青色光を発光するために、前記一のＢ発光特性と異なる他のＢ発光特性を有する他のＢ光源と、前記一のＲ光源、前記他のＲ光源、前記一のＧ光源、前記他のＧ光源、前記一のＢ光源、及び、前記他のＢ光源を夫々駆動する駆動手段と、前記一のＲ光源から発光された一の赤色光と、前記他のＲ光源から発光された他の赤色光と、前記一のＧ光源から発光された一の緑色光と、前記他のＲ光源から発光された他の緑色光と、前記一のＢ光源から発光された一の青色光と、前記他のＢ光源から発光された他の青色光との合成光が、所定の色再現範囲を有するように、前記一の赤色光及び前記他の赤色光の光量、前記一の青色光及び前記他の青色光の光量、前記一の緑色光及び前記他の緑色光の光量を定める複数の駆動条件に基づいて、前記一及び他のＲ光源、前記一及び他のＧ光源、並びに、前記一及び他のＢ光源を夫々駆動するように、前記駆動手段を制御する制御手段と、を備える。
【０００８】
この発明によれば、一の発光特性を有する一の光源における発光強度と、他の発光特性を有する他の光源における発光強度を変化させることで、一の光源が発光する一の所定色の光と、他の光源が発光する他の所定色の光とを合成又は混光した合成光は、所望となる所定色を再現可能である。ここに、本発明に係る所定色とは、例えば赤色、青色、緑色、白色などの特定の原色を意味する。また、本発明に係る発光特性とは、駆動するための電流と、発光された光のスペクトルにおける光エネルギーと、波長との相関関係を意味する。
【０００９】
この発光特性は、発光された光のスペクトルにおいて、光エネルギーが最大となる際の波長である発光ピーク波長、又は、人間の目が認識可能な波長に基づいて、特性されてよい。これにより、一の光源及び他の光源を適切に組み合わせることで、所望となる所定色を再現する。この結果、光源の発光特性に無関係に略同一の原色を再現できるので、光源の製造上の歩留まりの低下を効果的に抑制することが可能であり、光源の製造上のコストが低減させることができる。
【００１０】
ここで、前記一のＲ光源は赤色を発光する第１赤色発光ダイオードであり、前記他のＲ光源は赤色を発光する第２赤色発光ダイオードであり、前記一のＧ光源は緑色を発光する第１緑色発光ダイオードであり、前記他のＧ光源は緑色を発光する第２緑色発光ダイオードであり、前記一のＢ光源は青色を発光する第１青色発光ダイオードであり、前記一のＢ光源は青色を発光する第２青色発光ダイオードであり、前記第１赤色発光ダイオード、前記第２赤色発光ダイオード、前記第１緑色発光ダイオード、前記第２緑色発光ダイオード、前記第１青色発光ダイオード、及び前記第２青色発光ダイオードは、発光特性が近似する範囲ごとにランク分けされており、前記第１赤色発光ダイオードと前記第２赤色発光ダイオードとは異なるランクに属し、前記第１青色発光ダイオードと前記第２青色発光ダイオードとは異なるランクに属し、前記第１緑色発光ダイオードと前記第２緑色発光ダイオードとは異なるランクに属することが好ましい。
【００１１】
製造されたＬＥＤは、性質や性能上等の発光特性に応じてランク分けされることが多い。この発明によれば、異なるランクに属する２つのＬＥＤによって、所望の原色を再現可能である。従って、ＬＥＤの発光特性に無関係に略同一の原色を再現できるので、ＬＥＤを光源として、利用した照明装置が再現できる色再現範囲をＬＥＤの発光特性に無関係に規定することが可能である。以上の結果、ＬＥＤの発光特性に無関係に、ＬＥＤを利用することができるので、ＬＥＤの製造上の歩留まりの低下を効果的に抑制することが可能であり、ＬＥＤの製造上のコストが低減させることができ、ＬＥＤを利用したバックライトをより普及させることが可能である。
なお、一の光源の発光強度と、他の光源の発光強度とのパワー比を制御することにより、合成光の輝度や色合いを適切に変化させて設定できるので、一及び他の光源における経時変化又は温度変化による色再現範囲の変化を低減させることが可能である。
【００１２】
本発明の照明装置に係る一の態様では、前記制御手段は、前記複数の駆動条件として、１フレーム期間中において、前記一のＲ光源が発光するデューティ比と、前記他のＲ光源が発光するデューティ比とを設定し、前記一のＧ光源が発光するデューティ比と、前記他のＧ光源が発光するデューティ比とを設定し、前記一のＢ光源が発光するデューティ比と、前記他のＢ光源が発光するデューティ比とを設定することを特徴とする。
【００１３】
さらに、前記制御手段は、前記一のＲ光源が発光する期間と前記他のＲ光源が発光する期間とが重ならず、前記一のＧ光源が発光する期間と前記他のＧ光源が発光する期間とが重ならず、前記一のＢ光源が発光する期間と前記他のＢ光源が発光する期間とが重ならないように、前記複数の駆動条件を設定することが好ましい。この態様によれば、一の光源と、他の光源との両方が駆動している時間をなくすことができるので、ピーク電流の大きさを低減することができる。
【００１４】
上述した照明装置は、前記所定の色再現範囲の頂点に対応する赤色、緑色、及び青色の波長の夫々について前記合成光の発光強度を測定する発光強度測定手段を更に備え、
前記制御手段は、前記測定された発光強度に基づいて、前記合成光が、前記所定の色再現範囲を有するように、前記複数の駆動条件を変更して、前記一及び他のＲ光源、前記一及び他のＧ光源、並びに、前記一及び他のＢ光源を夫々駆動するように、前記駆動手段を制御することが好ましい。この態様によれば、時間経過に伴って、或いは、温度等の外界環境の変化を契機として、記憶された条件情報を更新して、駆動条件を変化させることができるので、一及び他の光源における経時変化又は温度変化による色再現範囲の変化を低減させることが可能である。
【００１５】
本発明の照明装置に係る他の態様では、前記合成光の発光状態を測定する発光状態測定手段を更に備え、前記制御手段は、前記測定された発光状態に基づいて、前記合成光が、所定の色再現範囲を有するように、前記複数の駆動条件を変更して、前記一及び他のＲ光源、前記一及び他のＧ光源、並びに、前記一及び他のＢ光源を夫々駆動するように、前記駆動手段を制御することが好ましい。この態様によれば、発光状態の変化に対応して、駆動条件を変化する。色再現範囲を一定に保持することができるので、信頼性が高く、付加価値の高い照明装置を提供することが可能である。
【００１６】
本発明の照明装置に係る他の態様では、温度を測定する温度測定手段を更に備え、前記制御手段は、前記測定された温度に基づいて、前記合成光が、所定の色再現範囲を有するように、前記複数の駆動条件を変更して、前記一及び他のＲ光源、前記一及び他のＧ光源、並びに、前記一及び他のＢ光源を夫々駆動するように、前記駆動手段を制御することが好ましい。この態様によれば、温度を含む外界環境の変化に対応して、駆動条件を変化する。色再現範囲を一定に保持することができるので、信頼性が高く、付加価値の高い照明装置を提供することが可能である。
【００１７】
本発明の液晶表示装置は、上述した本発明に係る照明装置と、液晶パネルと、を備える。本発明の液晶表示装置によれば、製造コストが低いと共に信頼性が高い照明装置を備えるので、付加価値の高い液晶表示装置を提供することが可能である。
【００１８】
本発明の液晶表示装置に係る一の態様では、前記液晶パネルは、前記合成光を透過可能な、赤色、緑色及び青色のカラーフィルタを有し、前記制御手段は、前記合成光として白色光を発光するように、前記一及び他のＲ光源、前記一及び他のＧ光源、並びに、前記一及び他のＢ光源を、複数の駆動条件に基づいて夫々駆動するように、前記駆動手段を制御する。
この態様によれば、Ｒ光源、Ｇ光源及びＢ光源のそれぞれでのＲＧＢ原色の色合を適切に変化させ設定できる。この結果、色再現範囲を一定に保持することができ、経時変化や温度変化による影響を低減させつつ、信頼性が高く、付加価値の高い液晶表示装置を提供することが可能である。
【００１９】
本発明の液晶表示装置に係る他の態様では、前記制御手段は、前記複数の駆動条件として、前記一及び他のＲ光源、前記一及び他のＧ光源、並びに、前記一及び他のＢ光源を、カラー表示に対応した時分割駆動に基づいて発光させるように、前記駆動手段を制御する。
この態様によれば、カラーフィルタを用いないで、カラー表示を行えるため消費電力を低減することができる。この結果、色再現範囲を一定に保持することができ、経時変化や温度変化による影響を低減させつつ、信頼性が高く、付加価値の高い液晶表示装置を提供することが可能である。
【発明を実施するための最良の形態】
【００２０】
以下、図面を参照して本発明を実施するための最良の形態について説明する。
（液晶表示装置）
（１：基本構成）
先ず、図１及び図２を参照して、本実施形態に係る液晶表示装置の構成等について説明する。ここに、図１は、本実施形態に係る液晶表示装置の基本構成を図式的に示した模式図である。図２は、図１におけるＺ−Ｚ’の平面で切断した断面図である。
【００２１】
図１に示されるように、本実施形態に係る液晶表示装置１は、液晶パネルＡＡ、バックライトモジュール４００及び発光モジュール５００を有するバックライト３００、駆動回路５５０、並びに、制御回路６００を備えて構成されている。尚、本発明に係る照明装置の一具体例が、発光モジュール５００によって構成されている。
液晶パネルＡＡは、素子基板１５１と、その素子基板１５１に対向して配置されるカラーフィルタ基板とが枠状のシール材を介して貼り合わされ、そのシール材の内側に液晶が封入されて液晶１５５の層が形成されてなる。液晶１５５の層に用いられる液晶は、例えばＴＮ（TwistedNematic）型液晶である。液晶パネルＡＡの素子基板１５１の外面上には、バックライト３００が備えられている。尚、液晶パネルＡＡの詳細については、後述する。
【００２２】
バックライトモジュール４００は、ＬＥＤの発光強度を複数の波長において測定する発光強度測定センサー４０１、ＬＥＤから発光され放射された光を液晶パネルＡＡに均等に導くための光学素子及び反射面を備えて構成されている。また、発光モジュール５００から発光され放射される複数種類の波長を有する光を混光する。なお、発光強度測定センサ４０１は、この液晶表示装置１の性能として必要とされる色再現範囲（ＲＧＢ空間における）の頂点に対応する赤色、緑色、及び青色の波長の夫々について発光強度を測定する。
発光モジュール５００は、赤色ＬＥＤ５００Ｒ１ａ、５００Ｒ１ｂ、・・・、５００Ｒｎａ及び５００Ｒｎｂ、緑色ＬＥＤ５００Ｇ１ａ、５００Ｇ１ｂ、・・・、５００Ｇｎａ及び５００Ｇｎｂ、青色ＬＥＤ５００Ｂ１ａ、５００Ｂ１ｂ、・・・、５００Ｂｎａ及び５００Ｂｎｂ、ＬＥＤの温度を測定する温度測定センサー５０１、並びに、各ＬＥＤが発生した熱を放熱する放熱手段（図示略）を備えて構成されている。ここで、ＬＥＤの符号「Ｒ」、「Ｇ」、「Ｂ」は発光色を表しており、「ａ」、「ｂ」は、ランクを表している。すなわち、同一の発光色のＬＥＤは、発光特性が異なるランクのＬＥＤから構成される。例えば、赤色に着目すると、５００Ｒ１ａ及び５００Ｒ１ｂは近接して配置されるペアであり、ｎ個のペアから構成される。
【００２３】
各ＬＥＤは、駆動回路５５０によって、一定の電流値にてＰＷＭ駆動（Pulse Width Modulation駆動）される。各ＬＥＤは、周囲の外界温度によって発光する光の波長が変化するため、制御回路６００の制御下で、各ＬＥＤは、温度測定センサー５０１などによって検出された温度に基づいて、駆動条件が変化されつつ駆動される。
駆動回路５５０は、複数種類のＬＥＤを、複数種類の駆動条件で駆動する。この駆動回路５５０は、制御回路６００から供給された制御信号により動作し、例えばイネーブル信号が有効化（アクティブ化）されたタイミングに、各ＬＥＤにおいて電圧が発生するように、各ＬＥＤを駆動する。特に、各ＬＥＤを流れる電流の値は、外付けの抵抗又は内部のレジスタの設定によって決定されてよい。また、駆動回路５５０には、制御回路６００の制御下で、図示しない外部インターフェース手段から表示データが入力され、駆動回路５５０に対応したデータ処理が行われＬＥＤを駆動するための駆動信号が生成される。
【００２４】
制御回路６００は、上述した発光強度測定センサー４０１によって測定された複数の波長における発光強度、及び温度測定センサー５０１によって測定された温度に基づいて、駆動回路５５０における駆動タイミング等の駆動条件を変化させて、駆動回路５５０の動作を制御する。この制御回路６００に有される記憶回路６０１は、測定された発光状態、及び測定された温度に対応して決定された駆動条件を記憶する。
【００２５】
（１−１：液晶パネルの構成例）
次に、上述した電気的構成に係る液晶パネルの全体構成について上述した図１に加えて図２を参照して説明する。
図１及び図２に示されるように、液晶パネルＡＡは、画素電極６等が形成されたガラスや半導体等の素子基板１５１と、共通電極１５８等が形成されたガラス等の透明な対向基板１５２とを、スペーサ１５３が混入されたシール材１５４によって一定の間隙を保って、互いに電極形成面が対向するように貼り合わせるとともに、この間隙に電気光学材料としての液晶１５５を封入した構造となっている。なお、シール材１５４は、対向基板１５２の基板周辺に沿って形成されるが、液晶１５５を封入するために一部が開口している。このため、液晶１５５の封入後に、その開口部分が封止材１５６によって封止されている。
【００２６】
ここで、素子基板１５１の対向面であって、シール材１５４の外側一辺においては、上述したデータ線駆動回路２００が形成されて、Ｙ方向に延在するデータ線（図示略）を駆動する構成となっている。さらに、この一辺には複数の接続電極１５７が形成されている。
この接続電極１５７には、外部に設けられたタイミング発生回路からの各種信号やＲＧＢ色の階調を指定する画像信号を入力する構成となっている。また、この一辺に隣接する一辺には、走査線駆動回路１００が形成されて、Ｘ方向に延在する走査線２をそれぞれ両側から駆動する構成となっている。一方、対向基板１５２の共通電極１５８は、素子基板１５１との貼合部分における４隅のうち、少なくとも１箇所において設けられた導通材によって、素子基板１５１との電気的導通が図られている。ほかに、対向基板１５２には、液晶パネルＡＡの用途に応じて、例えば、第１に、ストライプ状や、モザイク状、トライアングル状等に配列したカラーフィルタが設けられ、第２に、例えば、クロムやニッケルなどの金属材料や、カーボンやチタンなどをフォトレジストに分散した樹脂ブラックなどのブラックマトリクスが設けられ、第３に、液晶パネルＡＡに光を照射するバックライトが設けられる。特に色光変調の用途の場合には、カラーフィルタは形成されずにブラックマトリクスが対向基板１５２に設けられる。
【００２７】
くわえて、素子基板１５１および対向基板１５２の対向面には、それぞれ所定の方向にラビング処理された配向膜などが設けられる一方、その各背面側には配向方向に応じた偏光板（図示省略）がそれぞれ設けられる。ただし、液晶１５５として、高分子中に微小粒として分散させた高分子分散型液晶を用いれば、前述の配向膜、偏光板等が不要となる結果、光利用効率が高まるので、高輝度化や低消費電力化などの点において有利である。
【００２８】
なお、データ線駆動回路２００、走査線駆動回路１００等の周辺回路の一部または全部を、素子基板１５１に形成する替わりに、例えば、ＴＡＢ（TapeAutomatedBonding）技術を用いてフィルムに実装された駆動用ＩＣチップを、素子基板１５１の所定位置に設けられる異方性導電フィルムを介して電気的および機械的に接続する構成としても良いし、駆動用ＩＣチップ自体を、ＣＯＧ（ChipOnGrass）技術を用いて、素子基板１５１の所定位置に異方性導電フィルムを介して電気的および機械的に接続する構成としても良い。
【００２９】
（１−２：バックライトの構成）
次に図３から図５を参照して、本実施形態に係るバックライトについて詳しく述べる。図３は、本実施形態に係るバックライト３００を構成するバックライトモジュール４００及び発光モジュール５００を概念的に示した平面図である。
【００３０】
上述したように、発光モジュール５００よりバックライトモジュール４００に向けて、出光される光は、ＲＧＢの各色のＬＥＤの夫々より出光された光を混光したものである。詳細には、発光モジュール５００より出光される赤色光ＬＲ１、・・・、ＬＲｎは、赤色ＬＥＤ５００Ｒ１ａ、５００Ｒ１ｂ、・・・、５００Ｒｎａ及び５００Ｒｎｂより出光された光ＬＲ１ａ、ＬＲ１ｂ、・・・、ＬＲｎａ及びＬＲｎｂとを混光したものである。尚、赤色ＬＥＤ５００Ｒ１ａと５００Ｒ１ｂとは、物理的に１セットである赤色ＬＥＤ５００Ｒ１として形成され、以下、概ね同様にして、赤色ＬＥＤ５００Ｒｎａと５００Ｒｎｂとは、物理的に１セットである赤色ＬＥＤ５００Ｒｎとして形成されている。
【００３１】
また、発光モジュール５００より出光される緑色光ＬＧ１、・・・、ＬＧｎは、緑色ＬＥＤ５００Ｇ１ａ、５００Ｇ１ｂ、・・・、５００Ｇｎａ及び５００Ｇｎｂより出光された光ＬＧ１ａ、ＬＧ１ｂ、・・・、ＬＧｎａ及びＬＧｎｂとを混光したものである。尚、緑色ＬＥＤ５００Ｇ１ａと５００Ｇ１ｂとは、物理的に１セットである緑色ＬＥＤ５００Ｇ１として形成され、以下、概ね同様にして、緑色ＬＥＤ５００Ｇｎａと５００Ｇｎｂとは、物理的に１セットである緑色ＬＥＤ５００Ｇｎとして形成されている。
【００３２】
また、発光モジュール５００より出光される青色光ＬＢ１、・・・、ＬＢｎは、青色ＬＥＤ５００Ｂ１ａ、５００Ｂ１ｂ、・・・、５００Ｂｎａ及び５００Ｂｎｂより出光された光ＬＢ１ａ、ＬＢ１ｂ、・・・、ＬＢｎａ及びＬＢｎｂとを混光したものである。尚、青色ＬＥＤ５００Ｂ１ａと５００Ｂ１ｂとは、物理的に１セットである青色ＬＥＤ５００Ｂｎとして形成され、以下、概ね同様にして、青色ＬＥＤ５００Ｂｎａと５００Ｂｎｂとは、物理的に１セットである青色ＬＥＤ５００Ｂｎとして形成されている。
このように本実施形態においては、ランクの異なる複数のＬＥＤを組合わせて各色を発光させている。
【００３３】
尚、本実施形態に係るバックライト３００としては、図３に示すものには限られない。代わりに、ＲＧＢの各色の光を１つのＬＥＤで出光することのできる赤緑青色ＬＥＤを複数用いるとすることもできる。この赤緑青色ＬＥＤは、１つのＬＥＤであるが、その内部には、ＲＧＢの各色の発光素子が組み込まれている。ＲＧＢの各色の発光素子に対しては、別々に電流を流して、夫々発光させることができる。
【００３４】
図４（ａ）に、本実施形態に係るランクの異なる緑色ＬＥＤと、これらランクの異なる緑色ＬＥＤとを駆動する駆動回路例の一部を模式的に示す。この例では、緑色ＬＥＤ５００Ｇ１ａ及び５００Ｇ２ａはランクＥに属し、緑色ＬＥＤ５００Ｇ１ｂ及び５００Ｇ２ｂはランクＨに属する。そして、同一のランクに属するＬＥＤは、直列に接続されている。この場合、複数種類のランクのＬＥＤに夫々対応して複数種類の駆動回路を有するので、複数種類のランク毎に駆動条件を変化させることができる。図示されるように、駆動回路５５０Ｇａは、ランクＥの緑色ＬＥＤ５００Ｇ１ａ及び５００Ｇ２ａと電気的に直列接続されている。このため、同じ電流がランクＥの緑色ＬＥＤ５００Ｇ１ａ及び５００Ｇ２ａに流れるので、略同じ発光強度の赤色光が発光される。駆動回路５５０Ｇｂは、ランクＨの緑色ＬＥＤ５００Ｇ１ｂ及び５００Ｇ２ｂと電気的に直列接続されており、同じ電流がランクＨの緑色ＬＥＤ５００Ｇ１ｂ及び５００Ｇ２ｂに流れるので、略同じ発光強度の緑色光が発光される。
以上の結果、同じランクのＬＥＤを略同じ駆動条件で駆動するので、駆動回路を制御する制御回路を簡便化させ、制御回路の開発コストを低減させることができる。加えて、制御回路による駆動回路の制御処理の信頼性を向上させることができる。
【００３５】
具体的には、図４（ｂ）に示されるように、１フレーム中において、駆動回路５５０Ｇａが、駆動信号に基づいて、ランクＥの緑色ＬＥＤ５００Ｇ１ａ及び５００Ｇ２ａに電流を印加するタイミングと、ランクＨの緑色ＬＥＤ５００Ｇ１ｂ及び５００Ｇ２ｂに電流を印加するタイミングとを適切に異ならせる。このことに加えて又は代えて、ランクＥの緑色ＬＥＤ５００Ｇ１ａ及び５００Ｇ２ａにおけるデューティ比と、ランクＨの緑色ＬＥＤ５００Ｇ１ｂ及び５００Ｇ２ｂにおけるデューティ比とを適切に異ならせる。
また、図４（Ｃ）に示すようにランクＥの緑色ＬＥＤ５００Ｇ１ａ及び５００Ｇ２ａと、ランクＨの緑色ＬＥＤ５００Ｇ１ｂ及び５００Ｇ２ｂとの両方に電流が印加されている時間が重ならないように設定することが好ましい。この場合には、駆動回路全体のピーク電流値を低減できるので、電源回路の構成を簡素化できる。
【００３６】
図４に示す例では、同じランクのＬＥＤを直列に接続したが、図５に示すように、同じランクのＬＥＤを並列に接続して、同じランクのＬＥＤに同じ駆動信号（電圧）を夫々供給してもよい。この場合にも、同じランクのＬＥＤは、他の異なるランクのＬＥＤから独立して発光強度を変化させることができる。具体的には、駆動信号ＥＮ＿Ｇａが供給されるランクＥの緑色ＬＥＤ５００Ｇ１ａ、５００Ｇ２ａ、・・・、５００Ｇｎａにおける発光強度を、駆動信号ＥＮ＿Ｇｂが供給される他のランクＨの緑色ＬＥＤ５００Ｇ１ｂ、５００Ｇ２ｂ、・・・、５００Ｇｎｂから独立して変化させることができる。加えて、同じランクのＬＥＤにおける発光状態（発光強度）を、他の異なるランクのＬＥＤから独立して、発光強度測定センサー４０１によって測定し、監視することができる。尚、駆動信号ＥＮ＿Ｒａ、ＥＮ＿Ｒｂ、ＥＮ＿Ｂａ、及びＥＮ＿Ｂｂが夫々供給される赤色ＬＥＤ及び青色ＬＥＤについても概ね同様にして説明することができる。
【００３７】
（２：色度図上の色再現範囲）
次に、図６及び図７を参照して、本実施形態による効果として、液晶表示装置による色再現範囲について説明する。尚、説明を簡便にするために、ランクの異なる緑色ＬＥＤを利用した場合における色再現範囲について説明する。ここに、図６は、比較例及び本実施形態に係る液晶表示装置による色再現範囲を、国際照明委員会（ＣＩＥ）の規定によって示された色度図（図６（ａ）及び図６（ｂ））である。図７は、本実施形態に係る赤色ＬＥＤ、緑色ＬＥＤ及び青色ＬＥＤにおける発光特性を示したグラフ（図７（ａ））、及び本実施形態に係るランクの異なる緑色ＬＥＤによって実現される発光特性を示したグラフ（図７（ｂ））である。尚、図７（ａ）及び図７（ｂ）における横軸は波長を示し、縦軸は、光の発光強度における相対強度を示す。詳細には、色再現範囲は、人間の目の波長感度特性による色再現範囲であり、人間が見分けることのできる色再現範囲を示している。
【００３８】
本実施形態によれば、ランクＥの緑色ＬＥＤ５００Ｇ１ａにおける発光強度と、ランクＨの緑色ＬＥＤ５００Ｇ１ｂにおける発光強度を変化させることで、ランクＥの緑色ＬＥＤ５００Ｇ１ａが発光する光ＬＧ１ａと、ランクＨの緑色ＬＥＤ５００Ｇ１ｂが発光する光ＬＧ１ｂとを混光した光ＬＧ１は、所望の緑色を再現可能である。
【００３９】
仮に、製造されたＬＥＤの性能上のばらつきを無視して、製造されたＬＥＤの性能上の種別（所謂、ランク）の異なる緑色ＬＥＤを照明装置に利用した場合、赤色ＬＥＤ及び青色ＬＥＤの性能上のランクが略同一であっても、緑色ＬＥＤが発光する光が再現可能な緑色にばらつきが生じてしまう。このため、同一種類の照明装置であっても、製品単体毎に、再現できる色再現範囲にばらつきが生じてしまう。具体的には、照明装置の一の製品では、ランクＥの緑色ＬＥＤに起因して、色再現範囲が、図６（ａ）中の点ＰＧ１、点ＰＢ及び点ＰＲを結んだ色三角形によって、規定されるのに対して、照明装置の他の製品では、ランクＨの緑色ＬＥＤに起因して、色再現範囲が、図６（ａ）中の点ＰＧ２、点ＰＢ及び点ＰＲを結んだ色三角形によって、規定されてしまう。このため、製造されたＬＥＤの性能上のランクを限定する必要性が生じてしまうので、ＬＥＤの製造上の歩留まりが低下する大きな要因となってしまう。よって、ＬＥＤの製造上の歩留まりの低下によって、ＬＥＤの製造上のコストが上昇してしまい、ＬＥＤを利用したバックライトを普及させる際の障害となってしまう。
【００４０】
これに対して、本実施形態によれば、ランクＥの緑色ＬＥＤ５００Ｇ１ａにおける発光強度と、ランクＨの緑色ＬＥＤ５００Ｇ１ｂにおける発光強度を変化させることで、ランクＥの緑色ＬＥＤ５００Ｇ１ａが発光する光ＬＧ１ａと、ランクＨの緑色ＬＥＤ５００Ｇ１ｂが発光する光ＬＧ１ｂとを混光した光ＬＧ１は、所望の緑色を再現可能である。
詳細には、図７（ａ）に示されるように、本実施形態によれば、例えば３５０（ｎｍ：nano-meter）の波長の光を発光する赤色ＬＥＤ、例えば２００（ｎｍ）の波長の光を発光する緑色ＬＥＤ、及び、例えば１５０（ｎｍ）の波長の光を発光する青色ＬＥＤにおいて、各光の相対強度を、略等しくさせてもよい。この際に、例えば２００（ｎｍ）の波長の光を発光する緑色ＬＥＤを、ランクＥの緑色ＬＥＤ５００Ｇ１ａにおける発光強度と、ランクＨの緑色ＬＥＤ５００Ｇ１ｂにおける発光強度を変化させることで実現する。
【００４１】
具体的には、図７（ｂ）に示されるように、ランクＥの緑色ＬＥＤ５００Ｇ１ａでは、発光ピーク波長は２００（ｎｍ）より小さく、その発光ピーク波長での相対強度が１．０より小さく、このランクＥの緑色ＬＥＤ５００Ｇ１ａが発光する光は、波長が２００（ｎｍ）では相対強度は０．４５である。また、ランクＨの緑色ＬＥＤ５００Ｇ１ｂでは、発光ピーク波長は２００（ｎｍ）より大きく、その発光ピーク波長での相対強度が１．０より大きく、このランクＨの緑色ＬＥＤ５００Ｇ１ｂが発光する光は、波長が２００（ｎｍ）では相対強度は０．８である。従って、次の式（１）を満たすように、ランクＥの緑色ＬＥＤ５００Ｇ１ａにおける発光強度の割合Ｋｅと、ランクＨの緑色ＬＥＤ５００Ｇ１ｂにおける発光強度の割合Ｋｈを変化させることで、ランクＥの緑色ＬＥＤ５００Ｇ１ａが発光する光ＬＧ１ａと、ランクＨの緑色ＬＥＤ５００Ｇ１ｂが発光する光ＬＧ１ｂとを混光した光ＬＧ１は、相対強度が１．０である緑色を再現可能である。
０．４５  ×  Ｋｅ  ＋  ０．８  ×  Ｋｈ  ＝  １．０    ……  （１）
具体的には、Ｋｅの値を「4/9」にして、Ｋｈの値を「1」にしてよい。
この結果、本実施形態によれば、図６（ｂ）中のランクＥの緑色ＬＥＤ５００Ｇ１ａが発光する光ＬＧ１ａが再現可能な色度図の上の点Ｐ１と、ランクＨの緑色ＬＥＤ５００Ｇ１ｂが発光する光ＬＧ１ｂが再現可能な色度図の上の点Ｐ２とを結んだ線（即ち、１点鎖線）の上の任意の点に対応した、緑色の色座標を設定することができる。例えば、色線図上の点Ｐ０に対応した緑色を再現可能である。
【００４２】
概ね同様にして、図６（ｂ）中のランクＤの緑色ＬＥＤ５００Ｇ１ａが発光する光ＬＧ１ａが再現可能な色度図の上の点Ｐ３と、ランクＧの緑色ＬＥＤ５００Ｇ１ｂが発光する光ＬＧ１ｂが再現可能な色度図の上の点Ｐ４とを結んだ線（即ち、点線）の上の任意の点に対応した、緑色の色座標を設定することができる。例えば、上述した色線図上の点Ｐ０に対応した緑色を再現可能である。このことは、上述したランクＥの緑色ＬＥＤ及びランクＨの緑色ＬＥＤによっても、或いは、上述したランクＤの緑色ＬＥＤ及びランクＧの緑色ＬＥＤによっても、言い換えると、異なるランクの緑色ＬＥＤを適切に組み合わせることで、ランクに無関係に略同一の緑色を再現できることを意味している。
尚、図６では、ランクの異なる緑色ＬＥＤにおける色再現範囲について説明したが、ランクの異なる赤色ＬＥＤについても概ね同様にして、所望の赤色を再現可能であると共に、ランクの異なる青色ＬＥＤについても概ね同様にして、所望の青色を再現可能である
【００４３】
この結果、本実施形態によれば、製造されたＬＥＤの性能上の種別（所謂、ランク）が異なる２つのＬＥＤによって、所望の原色を再現可能である。従って、ＬＥＤの性能上のランクに無関係に略同一の原色を再現できるので、ＬＥＤを利用した照明装置が再現できる色再現範囲をＬＥＤのランクに無関係に規定することが可能である。以上の結果、ＬＥＤの性能上の種別に無関係に、ＬＥＤを利用することができるので、ＬＥＤの製造上の歩留まりの低下を効果的に抑制することが可能であり、ＬＥＤの製造上のコストが低減させることができ、ＬＥＤを利用したバックライトをより普及させることが可能である。
【００４４】
（３：動作原理）
次に、図８を参照して、本実施形態に係る発光モジュールの補正処理について説明する。ここに、図８は、本実施形態に係る発光モジュールの補正処理の流れを示したフローチャート（図８（ａ））及びサブルーチンを示したフローチャート（図８（ｂ））である。
【００４５】
先ず、制御回路６００の制御下で、初期条件として定電流駆動の際の電流値及びＰＷＭ駆動の際の電流パルスのデューティ比が設定される（ステップＳ１０）。特に、この初期条件を示す設定値は、理論的、経験的、実験的、シミュレーション的等の手法により予め決定されていてよい。
【００４６】
次に、色調整処理が行われる（ステップＳ２０）。詳細には、図８（ｂ）に示されるように、色調整処理では、先ず緑色ＬＥＤだけ駆動し、他の赤色ＬＥＤ及び青色ＬＥＤは駆動しない（ステップＳ２１）。
次に、制御回路６００の制御下で、ランクＥの緑色ＬＥＤ５００Ｇ１ａが発光する光ＬＧ１ａと、ランクＨの緑色ＬＥＤ５００Ｇ１ｂが発光する光ＬＧ１ｂとを混光した光ＬＧ１は、所望の発光状態になっており、目標となる色再現範囲が実現されているか否かが判定される（ステップＳ２２）。詳細には、この光ＬＧ１の色合は、ランクＥの緑色ＬＥＤ５００Ｇ１ａが発光する光ＬＧ１ａと、ランクＨの緑色ＬＥＤ５００Ｇ１ｂが発光する光ＬＧ１ｂとの混合比で決定され、この光ＬＧ１の輝度は、相対輝度比を一定に保ちつつ絶対値を変化させることで調整される。
【００４７】
このステップＳ２２の判定の結果、混光した光ＬＧ１は、所望の発光状態になっていない、目標となる色再現範囲が実現されていない場合（ステップＳ２２：Ｎｏ）、ランクＥの緑色ＬＥＤ５００Ｇ１ａにおけるデューティ比又は発光するタイミング、及び、ランクＨの緑色ＬＥＤ５００Ｇ１ｂにおけるデューティ比又は発光するタイミングを、測定された発光状態や温度に基づいて、夫々変化させ、駆動条件を変更させる（ステップＳ２３）。具体的には、上述した２つのランクに属するＬＥＤを独立して制御するための２系統の駆動信号ＥＮ＿ＧａとＥＮ＿Ｇｂを利用して、測定された発光状態や温度に基づいて、ランクＥの緑色ＬＥＤ５００Ｇ１ａにおけるデューティ比、及び、ランクＨの緑色ＬＥＤ５００Ｇ１ｂにおけるデューティ比を夫々変化させる。
他方、ステップＳ２２の判定の結果、混光した光ＬＧ１は、所望の発光状態になっており、目標となる色再現範囲が実現されている場合（ステップＳ２２：Ｙｅｓ）、引き続き、緑色ＬＥＤは駆動される（ステップＳ２４）。
【００４８】
次に、図８（ａ）に戻って、色調整処理の完了後、混光した光ＬＧ１は、所望の発光状態になっており、目標となる色再現範囲が実現されているので、その際に設定された駆動条件に関するデータが制御手段の記憶回路６０１に記憶され格納される（ステップＳ３０）。
次に、制御回路６００の制御下で、発光モジュールの補正処理を終了するか否かが判定される（ステップＳ４０）。ここで、発光モジュールの補正処理を終了しない場合（ステップＳ４０：Ｎｏ）、補正対象となる色が変更され、対象となるＬＥＤが、緑色ＬＥＤから、他の赤色ＬＥＤ又は青色ＬＥＤへと変更される（ステップＳ５０）。
【００４９】
この結果、本実施形態によれば、製造されたＬＥＤの性能上の種別（所謂、ランク）が異なる２つのＬＥＤによって、所望の原色を再現可能である。従って、ＬＥＤの性能上のランクに無関係に略同一の原色を再現できるので、ＬＥＤを利用した照明装置が再現できる色再現範囲をＬＥＤのランクに無関係に規定することが可能である。以上の結果、ＬＥＤの性能上の種別に無関係に、ＬＥＤを利用することができるので、ＬＥＤの製造上の歩留まりの低下を効果的に抑制することが可能であり、ＬＥＤの製造上のコストが低減させることができ、ＬＥＤを利用したバックライトをより普及させることが可能である。
【００５０】
また、製造されたＬＥＤの性能上の種別が異なる２つのＬＥＤが発光する光の混合比を変化させ適切に設定することにより原色の色合を適切に設定することが可能となる。以上の結果、温度の変化や経時変化に起因した、発光特性における波長及び発光強度の変化を補正することで、色再現範囲における色三角形の頂点の座標を一定に保持することができるので、信頼性が高く、付加価値の高い液晶表示装置を提供することが可能である。
【００５１】
本実施形態は、フィールドシーケンシャル方式によってカラー表示を行う液晶表示装置、及び、ＲＧＢ混色による白色表示とカラーフィルタ方式とを組み合わせた液晶表示装置に適用することが可能である。或いは、白色ＬＥＤとカラーフィルタ方式とを組み合わせた液晶表示装置に適用することが可能である。また、特定色の発光に特化した照明装置に適用することが可能である。また、自動車のヘッドライト、計器の表示等、発光された光の色再現範囲が高精度に規定された照明装置に適用することが可能である。
【００５２】
本実施形態では、異なるランクに属する２種類のＬＥＤについて主に説明したが、異なるランクに属する３種類以上のＬＥＤを用いて発光モジュールを構成して良い。特に、この場合、色線図の上で、色再現範囲が、３つ以上の頂点からなる多角形の内側の範囲として規定されつつ、色合の調整を行うことが可能となる。
【００５３】
具体的には、図９に示すように、必要とされる色再現の範囲が基準範囲Ｘ１であったとする。この場合、基準範囲Ｘ１を含むように色再現範囲を設定すればよいことになる。そのような色再現範囲としてＸ２がある。色再現範囲Ｘ２は、点Ｑ１、Ｑ２、及びＱ３に囲まれた範囲であり、点Ｑ１における発光は、緑色を点Ｐ１１で発光するＬＥＤの発光強度と点Ｐ１２で発光するＬＥＤの発光強度を調整することによって得られ、点Ｑ２における発光は、赤色を点Ｐ２１で発光するＬＥＤの発光強度と点Ｐ２２で発光するＬＥＤの発光強度を調整することによって得られ、点Ｑ３における発光は、青色を点Ｐ３１で発光するＬＥＤの発光強度と点Ｐ３２で発光するＬＥＤの発光強度を調整することによって得られる。
【００５４】
この場合、各ＬＥＤの発光強度は、基準範囲Ｘ１を含むように設定する。ここで、発光強度の調整を赤色、緑色、青色のうち少なくとも２色で実行することによって、色再現範囲Ｘ２を拡大させることができる。換言すれば、１色のみで調整する場合と比較してより特性がばらついたＬＥＤを使用することが可能となる。これにより、ＬＥＤの歩留まりを大幅に低下させることができる。
【００５５】
なお、点Ｑ１、Ｑ２、及びＱ３の設定方法としては、色再現範囲Ｘ２が基準範囲Ｘ１を含み、且つ、色再現範囲Ｘ２の面積が最大になるように設定してもよい。また、色再現範囲Ｘ２が基準範囲Ｘ１を含み、且つ、色再現範囲Ｘ２の重心と基準範囲Ｘ１の重心との距離が最小となるように設定してもよい。
【００５６】
（４：電子機器）
次に、上述した実施形態および応用例に係る電気光学装置１を適用した電子機器について説明する。図１０に、本実施形態に係る照明装置を適用したモバイル型のパーソナルコンピュータの構成を示す。パーソナルコンピュータ２０００は、表示ユニットとしての電気光学装置１と本体部２０１０を備える。本体部２０１０には、電源スイッチ２００１及びキーボード２００２が設けられている。この電気光学装置１はデータ線駆動回路２００の構成が簡略化されるので、狭ピッチで高精細な画像を表示することができる。
図１１に、本実施形態に係る照明装置を適用した携帯電話機の構成を示す。携帯電話機３０００は、複数の操作ボタン３００１及びスクロールボタン３００２、並びに表示ユニットとしての電気光学装置１を備える。スクロールボタン３００２を操作することによって、電気光学装置１に表示される画面がスクロールされる。
図１２に、本実施形態に係る照明装置を適用した情報携帯端末（ＰＤＡ：PersonalDigitalAssistants）の構成を示す。情報携帯端末４０００は、複数の操作ボタン３００１及び電源スイッチ４００２、並びに表示ユニットとしての電気光学装置１を備える。電源スイッチ４００２を操作すると、住所録やスケジュール帳といった各種の情報が電気光学装置１に表示される。
なお、電気光学装置１が適用される電子機器としては、図１０〜図１２に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１が適用可能である。
本発明は、上述した実施形態に限られるものではなく、請求の範囲及び明細書全体から読み取れる発明の要旨或いは思想に反しない範囲で適宜変更可能であり、そのような変更を伴う照明装置及び液晶表示装置もまた本発明の技術的範囲に含まれるものである。
【図面の簡単な説明】
【００５７】
【図１】本実施形態に係る液晶表示装置の基本構成を図式的に示した模式図である。
【図２】図１におけるＺ−Ｚ’の平面で切断した断面図である。
【図３】本実施形態に係るバックライト３００を構成するバックライトモジュール４００及び発光モジュール５００を概念的に示した平面図である。
【図４】本実施形態に係るランクの異なる緑色ＬＥＤと、これらランクの異なる緑色ＬＥＤを駆動する駆動回路との構成を図式的に示した模式図（図４（ａ））及び本実施形態に係る駆動回路において、ランクの異なる緑色ＬＥＤを駆動するタイミングを図式的に示したタイミングチャート（図４（ｂ））である。
【図５】本実施形態に係るランクの異なるＬＥＤに供給される制御信号の流れを図式的に示した回路図である。
【図６】比較例及び本実施形態に係る液晶表示装置による色再現範囲を、国際照明委員会（ＣＩＥ）の規定によって示された色度図（図６（ａ）及び図６（ｂ））である。
【図７】本実施形態に係る赤色ＬＥＤ、緑色ＬＥＤ及び青色ＬＥＤにおける発光特性を示したグラフ（図７（ａ））、及び本実施形態に係るランクの異なる緑色ＬＥＤによって実現される発光特性を示したグラフ（図７（ｂ））である。
【図８】本実施形態に係る発光モジュールの補正処理の流れを示したフローチャート（図８（ａ））及びサブルーチンを示したフローチャート（図８（ｂ））である。
【図９】色再現範囲の設定の一例を説明するための説明図である。
【図１０】本実施形態に係る照明装置を適用したモバイル型のパーソナルコンピュータの構成を示した斜視図である。
【図１１】本実施形態に係る照明装置を適用した携帯電話機の構成を示した斜視図である。
【図１２】本実施形態に係る照明装置を適用した情報携帯端末の構成を示した斜視図である。
【符号の説明】
【００５８】
１……液晶表示装置、ＡＡ……液晶パネル、３００……バックライト、４００……バックライトモジュール、５０１……発光状態測定センサー、５００……発光モジュール、５０１……温度測定センサー、５５０……駆動回路、６００……制御回路、５００Ｒ１ａ、５００Ｒ１ｂ、・・・、５００Ｒｎａ及び５００Ｒｎｂ……赤色ＬＥＤ、５００Ｇ１ａ、５００Ｇ１ｂ、・・・、５００Ｇｎａ及び５００Ｇｎｂ……緑色ＬＥＤ、５００Ｂ１ａ、５００Ｂ１ｂ、・・・、５００Ｂｎａ及び５００Ｂｎｂ……青色ＬＥＤ。
【図１】
2009054913.tif 000003
【図２】
2009054913.tif 000004
【図３】
2009054913.tif 000005
【図４】
2009054913.tif 000006
【図５】
2009054913.tif 000007
【図６】
2009054913.tif 000008
【図７】
2009054913.tif 000009
【図８】
2009054913.tif 000010
【図９】
2009054913.tif 000011
【図１０】
2009054913.tif 000012
【図１１】
2009054913.tif 000013
【図１２】
2009054913.tif 000014